(57)【要約】【課題】水滴が室外に漏れ出る不都合を軽減して、室内の湿度の低下を抑制できる給湯直結式ミスト装置を簡便に構成する。【解決手段】給湯直結式ミスト装置１００は、ミスト用水路３を流れるミスト用水の単位時間当たりの流量を調節する流量調節器１０と、室内の温度を測定する温度測定部５３と、室内の湿度を測定する湿度測定部５４と、流量調節器１０の動作を制御する制御部１１と、を備え、制御部１１は、ミスト運転が開始された後、温度測定部５３の測定温度の減少量が第１所定値以上、且つ湿度測定部５４の測定湿度の減少量が第２所定値以上のとき、ミスト用水の噴出量を減少させる。【選択図】図１
2017164382.tif 000002
【特許請求の範囲】
【請求項１】
室内に向けられたミストノズルを備え、給湯機能を有する熱源機で加熱されたミスト用水が、ミスト用水路を経由して前記ミストノズルから前記室内に向けて噴出される給湯直結式ミスト装置であって、
前記ミスト用水路を流れる前記ミスト用水の単位時間当たりの流量を調節する流量調節器と、
前記室内の温度を測定する温度測定部と、
前記室内の湿度を測定する湿度測定部と、
前記流量調節器の動作を制御する制御部と、を備え、
前記制御部は、前記温度測定部の測定温度の減少量が第１所定値以上、且つ前記湿度測定部の測定湿度の減少量が第２所定値以上のとき、前記ミスト用水の噴出量を減少させる給湯直結式ミスト装置。
【請求項２】
前記制御部は、前記ミスト用水の噴出量を減少させた後に前記湿度測定部の測定湿度の増加量が第３所定値以上となったとき、前記ミスト用水の噴出量を増加させる請求項１に記載の給湯直結式ミスト装置。
【請求項３】
前記制御部は、前記温度測定部の測定温度に基づき、前記室内の温度を調整する温度調整部を有している請求項１又は２に記載の給湯直結式ミスト装置。
【請求項４】
前記制御部は、前記湿度測定部の測定湿度が１００％になってから第１所定時間を経過した場合、且つ、前記ミスト用水の噴出量を減少させる処理が第２所定時間に亘って実行されない場合、前記ミスト用水の噴出を停止させる請求項１〜３のいずれか一項に記載の給湯直結式ミスト装置。
【発明の詳細な説明】
【技術分野】
【０００１】
本発明は、給湯機能を有する熱源機で加熱されたミスト用水が、ミスト用水路を経由してミストノズルから室内に向けて噴出される給湯直結式ミスト装置に関する。
【背景技術】
【０００２】
従来、自宅の浴室でも手軽にミスト浴を楽しむことができる機器が販売されている。この種の機器として、例えば浴室の天井裏に設置するタイプ（以下「天井設置型」とする）や、浴室の壁に固定するタイプ（以下「壁掛け型」とする）等がある。また、ミストを発生する手段として、例えば給湯機能を有する熱源機で加熱された湯が、ミスト用水路を経由してそのままミストノズルからミスト状に噴出される方式（以下「給湯直結式」とする）や、機器内の熱交換器によって熱源機から送られる高温暖房温水（例えば８０℃）と給水との間で熱交換を行って給水を加熱し、この加熱給水がミストノズルからミスト状に噴出される方式（以下「温水循環式」とする）等がある。このような状況の下、現在、天井設置型および壁掛け型共に、例えば特許文献１に記載された温水循環式のミスト装置が広く利用されてきた。
【０００３】
この特許文献１のミスト装置では、浴室ドアの開閉状態を検出するドアセンサを備え、このドアセンサが浴室ドアの開状態を検出した場合にミスト運転を停止することとしている。これによって、水滴が室外に漏れ出ることを防止するものである。
【先行技術文献】
【特許文献】
【０００４】
【特許文献１】特開２００１−２０４７８８号公報
【発明の概要】
【発明が解決しようとする課題】
【０００５】
特許文献１に記載のような温水循環式ミスト装置を、例えば高温暖房温水を循環させる配管や熱交換器等が備えられていない家屋において利用したい場合には、当該配管や熱交換器等を新規に設ける必要があることから設置に伴う費用が増大し、装置サイズが大型化してしまう。
【０００６】
一方、給湯直結式ミスト装置を採用すれば、高温暖房温水と給水との間での熱交換を省略できるので、配管や熱交換器等の設置費用が低減され、装置サイズのコンパクト化が図られる。また、給湯水を直接利用できるため、ミスト発生量が多く、浴室の加温機能も期待できる。その反面、ミスト発生量が多いため、浴室ドアを開いたときにおける水滴の漏れ量も多くなり易い。これを防止するため、従来のようにドアセンサで開状態を検出してミスト運転を停止することも考えられるが、浴室ドアにドアセンサを新たに設置する必要があるのでコストが上昇するばかりか、湿度が急激に低下してミスト浴を楽しむことができない。
【０００７】
そこで、水滴が室外に漏れ出る不都合を軽減して、室内の湿度の低下を抑制できる給湯直結式ミスト装置を簡便に構成することが望まれている。
【課題を解決するための手段】
【０００８】
本発明に係る給湯直結式ミスト装置の特徴構成は、室内に向けられたミストノズルを備え、給湯機能を有する熱源機で加熱されたミスト用水が、ミスト用水路を経由して前記ミストノズルから前記室内に向けて噴出される給湯直結式ミスト装置であって、前記ミスト用水路を流れる前記ミスト用水の単位時間当たりの流量を調節する流量調節器と、前記室内の温度を測定する温度測定部と、前記室内の湿度を測定する湿度測定部と、前記流量調節器の動作を制御する制御部と、を備え、前記制御部は、前記温度測定部の測定温度の減少量が第１所定値以上、且つ前記湿度測定部の測定湿度の減少量が第２所定値以上のとき、前記ミスト用水の噴出量を減少させる点にある。
【０００９】
本構成のような給湯直結式ミスト装置は、浴槽に供給する給湯水を直接利用できるため、ミスト発生量が多く、ドアが開いた際でも、室内の湿度がある程度高い状態で維持される。一方、ドアが開いた際の水滴の漏れ量は比較的多くなってしまう。
【００１０】
そこで、本構成では、ドアが開いたときに室内の温度および湿度が減少する原理を用いて判定し、ドアが開状態であればミスト用水の噴出量を減少させることとしている。その結果、ドアが開いた際の水滴の漏れ量を低減することができる。しかも、ミスト運転を停止しないので、室内の湿度がある程度維持され、利用者はミスト浴を快適に楽しむことができる。
【００１１】
また、本構成のようにドアの開状態を室内の温度と湿度とで判定すれば、装置に既に内蔵された部品構成で済むので、コストを節約できると共に、判定方法も簡便である。特に、本構成では、室内の湿度は換気等によっても低下するおそれがあるので、室内の温度の減少量も同時に把握してドアの開状態における判定精度を高めている。このように、水滴が室外に漏れ出る不都合を軽減して、室内の湿度の低下を抑制できる給湯直結式ミスト装置を簡便に構成することができた。
【００１２】
また、前記制御部は、前記ミスト用水の噴出量を減少させた後に前記湿度測定部の測定湿度の増加量が第３所定値以上となったとき、前記ミスト用水の噴出量を増加させると好適である。
【００１３】
上述したように、ドアが開状態であってもミスト運転を停止しないので、その後にドアが閉められたとき、室内の湿度が増加する。ドアの開閉は比較的短時間に行われるので、室内の湿度が低下する他の外的要因の影響が極めて小さい。そこで、本構成では、室内の湿度の増加量のみでドアが閉まったことを判定し、ミスト用水の噴出量を増加させることとしている。これによって、制御部の誤判定を防止して、通常ミスト運転へと円滑に復帰させることができる。
【００１４】
また、前記制御部は、前記温度測定部の測定温度に基づき、前記室内の温度を調整する温度調整部を有していると好適である。
【００１５】
本構成のような温度調整部を設ければ、ドアの開閉が有ったとしても室内の温度を目標温度に保つことができるので、利用者はミストサウナ浴（暖かい室内でのミスト浴）を快適に楽しむことができる。一方、上述したように、ドアが開状態から閉状態となり、ミスト用水の噴出量を増加させて通常運転へと復帰させるとき、室内の温度が目標温度となるように調整されているので、ドアが閉じられたことによる温度増加か否かが判定し難い。しかしながら、上述の判定方法では、室内の湿度のみで復帰判定をしているので、誤判定が生じることもなく、利用者はミストサウナ浴を継続して楽しむことができる。
【００１６】
また、前記制御部は、前記湿度測定部の測定湿度が１００％になってから第１所定時間を経過した場合、且つ、前記ミスト用水の噴出量を減少させる処理が第２所定時間に亘って実行されない場合、前記ミスト用水の噴出を停止させると好適である。
【００１７】
利用者がミストサウナ浴を過度に体感しすぎると、体調を崩してしまうおそれがある。そこで本構成では、室内が最高湿度になってから第１所定時間を経過したとき、且つミスト噴出量の減少処理が実行されるドアの開操作が第２所定時間連続して行われないとき、ミスト運転を停止させることとしている。これによって、利用者は、ミストサウナ浴を過度に体感しすぎることなく、「ほてり」や「のぼせ」に対する抑止効果が期待できる。
【図面の簡単な説明】
【００１８】
【図１】ミスト装置の構成を示す模式図である。
【図２】通常運転時の温度、湿度、及びミスト噴出量を示す図である。
【図３】浴室ドアの開閉があった際の温度、湿度、及びミスト噴出量を示す図である。
【図４】ミスト装置の動作を示すフローチャートである。
【図５】別実施形態を示すミスト装置の構成を示す模式図である。
【発明を実施するための形態】
【００１９】
本発明に係る給湯直結式ミスト装置は、ユーザが室内で手軽にミストサウナ入浴を楽しむことができるように構成される。以下、本実施形態のミスト装置１００について説明する。図１には、ミスト装置１００の構成が模式的に示される。
【００２０】
本ミスト装置１００は、室内に向けられた複数のミストノズル２を備え、ミスト用水路３を通って供給されるミスト用水をミストノズル２から室内に向けて噴出する。室内とは、ミストサウナ入浴を楽しめる空間であり、例えば浴室Ｙの内部が相当する。ミストノズル２とは、浴室Ｙの内部に向かってミスト用水を噴出する噴出口である。このミストノズル２には、熱源機１で加熱されたミスト用水が、ミスト用水路３を経由して供給される。
【００２１】
以下では、所謂、熱源機１で加熱した湯をそのままミストノズル２からミスト状に噴出する「給湯直結式」であって、浴室Ｙの天井裏に設置する「天井設置型」のミスト装置１００を例に挙げて説明する。なお、本実施形態に係る熱源機１は浴槽Ｘ、シャワーＸａ、カランＸｂ等に給湯する給湯機能も有しており、ミスト用水路３は、熱源機１と浴槽Ｘ等とを接続する給湯管路（不図示）から分岐させても良いし、給湯管路とは独立して設けても良い。この給湯直結式のミスト装置１００は、温水循環式のミスト装置に比べて、給湯水を直接利用できるため、ミスト噴出量が多く、浴室Ｙの加温効果も期待できるものである。
【００２２】
熱源機１は、第１熱交換機構３１と第２熱交換機構３２とを備えて構成される。第１熱交換機構３１は、第１熱交換部４１と第１燃焼器４２と第１比例弁４３とを備えて構成される。第２熱交換機構３２は、第２熱交換部４４と第２燃焼器４５と第２比例弁４６とを備えて構成される。
【００２３】
給水路４８を流通するミスト用水の流量が所定の流量に達すると、第１比例弁４３、および開閉弁４７が開弁され、熱源機１に燃料（例えばガス）が供給される。これにより第１燃焼器４２が運転を開始し、給水路４８を流通するミスト用水が第１熱交換部４１において加温される。このように加温されたミスト用水が、上述したミスト用水路３を流通する。なお、給水路４８を流通するミスト用水の流量が所定の流量であるかを後述する流量センサ４９により検出すると良く、第１熱交換部４１により加温されたミスト用水の温度は給湯温度センサ５０により検出すると良い。
【００２４】
一方、上述した空気加熱用熱交換器９５を運転する場合には、ポンプＰにより熱媒循環路５１内の熱媒を循環させた状態で第２比例弁４６を開弁する。これより、第２燃焼器４５が運転を開始し、熱媒循環路５１を流通する熱媒が第２熱交換部４４において加温される。このように加温された熱媒が、空気加熱用熱交換器９５に供給される。なお、熱媒循環路５１における熱媒の流通を制御するために、制御弁５２を設けると好適である。
【００２５】
図１に示されるように、ミスト装置１００は、浴室Ｙの天井Ｙａの裏側に設置される本体ケーシング９０と、浴室Ｙの天井Ｙａの表側に設置されるグリル板９１とを備えている。
【００２６】
本体ケーシング９０の内部には、複数のミストノズル２、流量センサ４９、循環ファン９４、空気加熱用熱交換器９５、換気ファン９６、可動ルーバ９７等が備えられ、グリル板９１の吸引口９２には、温度センサ５３（温度測定部の一例）、湿度センサ５４（湿度測定部の一例）が配置されている。
【００２７】
複数のミストノズル２は、ミスト用水路３を流通して供給されるミスト用水を浴室Ｙの内部にミスト状に噴出する噴出手段である。流量センサ４９は、ミスト用水路３を流通するミスト用水の流量を測定する流量測定手段である。循環ファン９４は、グリル板９１に形成した吸引口９２を通して浴室Ｙの内部の空気を吸引し、吸引した空気を浴室Ｙの内部に向けて送風路９３を通して吹き出す循環手段である。空気加熱用熱交換器９５は、循環ファン９４にて通風される空気を加熱する空気加熱手段である。換気ファン９６は、吸引口９２を通して浴室Ｙの内部の空気を吸引し、外部に排出する換気手段である。可動ルーバ９７は、送風路９３から吹き出される空気の吹出方向を変更する空気吹出変更手段である。
【００２８】
温度センサ５３は、非接触式のセンサ素子を有するサーミスタ等で構成され、循環ファン９４で吸引された空気の温度を測定するために、吸引口９２に設置されている。湿度センサ５４は、センサ素子の電極間の静電容量が変化する静電容量型湿度センサ等で構成され、循環ファン９４で吸引された空気の湿度を測定するために、吸引口９２に設置されている。つまり、これら温度センサ５３や湿度センサ５４は、浴室Ｙの内部の温度や湿度を吸引口９２で測定するものである。
【００２９】
また、本実施形態のミスト装置１００は、浴室Ｙの外部に設けられる操作リモコンＬと、流量調節弁１０（流量調節器の一例）と、制御部１１とを備えている。
【００３０】
操作リモコンＬは、例えば脱衣室が区画された浴室Ｙの外壁に設けられており、少なくとも利用者がミスト運転の開始や停止を指示できる「ミスト」ボタンや、利用者が浴室暖房の運転や停止、温度設定を指示できる「浴室暖房」ボタンを有している。本実施形態では、「ミスト」ボタンを押下すると、空気加熱用熱交換器９５を運転して浴室暖房が自動的に開始されるミストサウナ機能を備えていると好適である。なお、夏季などのように浴室Ｙの温度が高い場合は、空気加熱用熱交換器９５の運転を停止するように構成して、ミスト装置１００の空気加熱手段を省略しても良い。
【００３１】
また、シャワーＸａやカランＸｂ等の給湯温度を設定できる他の操作リモコン（不図示）が、例えばリビングやキッチンに設けられている。本実施形態では、他の操作リモコンで設定されたシャワーＸａやカランＸｂ等の給湯温度が、ミスト用水の設定温度となるように構成されている。なお、給湯温度を設定できる他の操作リモコンを、浴室Ｙの外壁に設けられた操作リモコンＬに統一しても良く、特に限定されない。
【００３２】
流量調節弁１０は、ミスト用水路３を流れるミスト用水の単位時間当たりの流量を調節する。ミスト用水路３は、熱源機１とミストノズル２とを連通し、ミスト用水が流通する管である。「単位時間当たりの流量」とは、所定時間（例えば１分間）にミスト用水路３を流通するミスト用水の流量であって、本実施形態では最大３．５Ｌ／分と多くのミスト用水が流通可能である。このような流量調節弁１０は、ミスト用水路３を流れるミスト用水が所期の流量に調節できるように、流路面積をリニアに変更可能なリニア弁で構成すると好適である。なお、ミスト用水路３を流れるミスト用水の流量が所期の流量となるように、流量センサ４９の測定流量に基づいて流量調節弁１０の開度をフィードバック制御しても良い。
【００３３】
制御部１１は、温度センサ５３や湿度センサ５４の検出値に基づいて流量調節弁１０の動作を制御する。流量調節弁１０の動作とは、上述したようなミスト用水路３の流量を調節するための流量調節弁１０の流路面積（開度）の変更動作である。また、制御部１１は、温度センサ５３の測定温度に基づいて、循環ファン９４の出力等を調節することで空気加熱用熱交換器９５によって加温される空気量を調節し、浴室Ｙの温度を設定温度に近付ける温度調整部を有していると好適である。なお、制御部１１は、ハードウェア、各種処理を実行するＣＰＵやメモリを中核としたソフトウェア、又はハードウェアとソフトウェアとの協働により構成されている。
【００３４】
上述したように、ミスト装置１００は、熱源機１において加温されたミスト用水がミスト用水路３を介してミストノズル２に供給され、複数のミストノズル２からミスト用水がミスト状にして噴出される。制御部１１は、複数のミストノズル２からミスト用水の噴出を開始する場合、ミスト用水路３を流通するミスト用水の流量が所定時間に亘って第１流量以上となるように流量調節弁１０を第１開度に設定する。第１流量とは、ミスト用水路３の上流側に接続されている燃焼器（上述した第１燃焼器４２）が動作開始可能となる流量以上の流量である。ここで、第１燃焼器４２は、空焚き等の事故を防止すべく、所定の流量未満では着火しないように安全措置が施されている。そこで、制御部１１は、ミスト用水路３を流通するミスト用水の流量を、一旦、第１燃焼器４２が動作開始する流量以上に設定し、第１燃焼器４２の運転が停止しない程度の時間に亘って第１流量を維持するように流量調節弁１０の動作を制御する。
【００３５】
このとき、本実施形態におけるミスト装置１００は、給湯水を直接利用できるため、ミスト発生量が多く、浴室ドアが開いた際でも、浴室Ｙの湿度がある程度高い状態で維持される。一方、浴室ドアが開いた際の水滴の漏れ量は比較的多くなってしまう。
【００３６】
そこで、制御部１１は、温度センサ５３の測定温度の減少量が第１所定値以上、且つ湿度センサ５４の測定湿度の減少量が第２所定値以上のとき、流量調節弁１０を第１開度よりも小さい第２開度に設定して、ミスト用水の噴出量を減少させる構成としている。つまり、浴室ドアの開状態を浴室Ｙの温度と湿度とで判定し、浴室ドアが開状態のときにミスト用水の噴出量を減少させることとしている。その結果、浴室ドアが開いた際の水滴の漏れ量を低減することができる。しかも、ミスト運転を停止しないので、浴室Ｙの湿度が急激に低下することなく、利用者はミストサウナ浴を快適に楽しむことができる。特に、本実施形態では、浴室Ｙの湿度は換気等によっても低下することを鑑み、浴室Ｙの温度の減少量も同時に把握してドアの開状態における判定精度を高めている。
【００３７】
図２には、通常のミストサウナ運転時における浴室Ｙの温度、湿度、およびミスト噴出量が示される。ミストサウナ運転が開始されると、浴室Ｙの温度と湿度は共に上昇し、湿度は１００％に到達し、温度は少し遅れて操作リモコンＬで入力された設定温度に到達する。その後、湿度は換気ファン９６の出力を上げない限り１００％に維持され、温度は浴室Ｙの隙間や換気等によって若干下がれば、制御部１１が循環ファン９４の出力等を調節することで空気加熱用熱交換器９５によって加温される空気量を増減させて、設定温度に戻す制御が実行される。このとき、ミスト噴出量は、第１流量に維持されている。なお、湿度調節や温度調節のためにミスト噴出量を第１流量から変動させても良く、特に限定されない。
【００３８】
図３には、浴室ドアの開閉操作があった場合における浴室Ｙの温度、湿度、およびミスト噴出量が示される。浴室ドアが開かれると浴室Ｙの湿度と温度が低下する。このとき、浴室Ｙの温度は通常運転時に比べて減少量が増加し、浴室Ｙの湿度は１００％が維持された状態から減少に転じる。そこで、制御部１１で用いられる温度減少量を判定する第１所定値は、通常運転時における減少量より大きく設定され、湿度減少量を判定する第２所定値は、ゼロより大きい値に設定されている。なお、これら第１所定値や第２所定値は、設定温度や実際の湿度状態によって異なることがあるので、実験データに基づいてマップ化しても良い。
【００３９】
続いて、浴室ドアが閉じられると、浴室Ｙの温度は緩やかに設定温度に復帰し、浴室Ｙの湿度は増加に転じて１００％に戻る。一方、浴室Ｙの温度は、上述したように通常運転時の暖房によって増加方向に移行する勾配と区別し難い。そこで、本実施形態の制御部１１は、ミスト用水の噴出量を減少させた後に湿度センサ５４の測定湿度の増加量が第３所定値以上となったとき、流量調節弁１０を第１開度に戻して、ミスト用水の噴出量を増加させて通常運転に移行させることとしている。つまり、温度センサ５３の測定温度を用いずに判定することで、制御部１１の誤判定を防止して、通常ミスト運転へと円滑に復帰させることができる。なお、湿度増加量を判定する第３所定値は、ゼロより大きい値に設定されている。
【００４０】
また、制御部１１は、湿度センサ５４の測定湿度が１００％になってからの経過時間Ｔが第１所定時間を経過した場合、且つ、ミスト用水の噴出量を減少させる処理が第２所定時間に亘って実行されない場合、ミスト用水の噴出を停止させると好適である。つまり、浴室Ｙが最高湿度になってから第１所定時間を経過したとき、且つミスト噴出量の減少処理の起因となるドアの開閉が第２所定時間連続して行われていないとき、ミスト運転を停止させることとしている。これによって、利用者は、ミストサウナ浴を過度に体感しすぎることなく、「ほてり」や「のぼせ」に対する抑止効果が期待できる。よって、利用者はミストサウナ浴を快適に楽しむことができる。なお、第１所定時間や第２所定時間は、利用者が設定できる構成にしても良いし、予め登録しておいても良い。また、本モードを操作リモコンＬで選択できるように構成しても良い。
【００４１】
次に、浴室ドアの開閉操作に対するミスト装置１００の制御方法について図４のフローチャートを用いて説明する。
【００４２】
操作リモコンＬにおいてミスト装置１００のミスト運転開始ボタンが押下されると（＃１１Ｙｅｓ判定）、制御部１１にミスト運転開始の指示があったことを示す指示情報が送信される。次いで、熱源機１の運転を開始させ（＃１２）、流量調節弁１０を第１開度に設定して第１流量でミスト用水を噴出させる（＃１３）。次いで、浴室Ｙの温度が操作リモコンＬに入力された設定温度の所定範囲内にあるか判定し、所定範囲内に無い場合（＃１４Ｎо判定）、循環ファン９４の出力等を調節することで空気加熱用熱交換器９５によって加温される空気量を増減させて、設定温度に戻す制御が実行される（＃１５）。
【００４３】
一方、浴室Ｙの温度が設定温度の所定範囲内である場合（＃１４Ｙｅｓ判定）、温度センサ５３の測定温度の減少量が第１所定値以上、且つ湿度センサ５４の測定湿度の減少量が第２所定値以上であるか否かが判定される（＃１６）。浴室Ｙの温度や湿度の減少量が第１所定値や第２所定値より小さい場合（＃１６Ｎо判定）、再度、浴室Ｙの温度が設定温度の所定範囲内にあるか判定される（＃１４）。一方、温度と湿度の減少量が第１所定値や第２所定値以上である場合（＃１６Ｙｅｓ判定）、浴室ドアが開かれたと判定し、流量調節弁１０を第１開度より小さい第２開度に設定して、ミスト用水の噴出量を減少させる（＃１７）。
【００４４】
次いで、湿度センサ５４の測定湿度の増加量が第３所定値以上となったか否かが判定される（＃１８）。湿度減少量が第３所定値以上である場合（＃１８Ｙｅｓ判定）、浴室ドアが閉じられたと判定し、流量調節弁１０を第１開度に復帰させ、ミスト用水の噴出量を増加させる（＃１９）。次いで、湿度センサ５４の測定湿度が１００％になってからの経過時間Ｔが第１所定時間を経過し、且つ、ミスト用水の噴出量を減少させる処理が第２所定時間に亘って実行されないか否かが判定される（＃２０）。浴室ドアの開閉なく長時間経過した場合（＃２０Ｙｅｓ判定）、ミストサウナ運転を停止し（＃２１）、まだ長時間経過していない場合（＃２０Ｎо判定）、＃１４に戻って、ドアの開閉判定が繰り返される。
【００４５】
以下、別実施形態について、上述した実施形態と異なる構成のみ説明する。なお、図面の理解を容易にするため、同じ部材には同じ名称および符号を用いて説明する。
【００４６】
〔別実施形態〕
図５に示すように、上述した流量調節弁１０で流量制御する構成に代えて、ミスト用水路３をミストノズル２の側で少なくとも第１水路６１および第２水路６２に分岐させ、ミスト用水を噴出するミストノズル２の箇所数を変化させて流量制御しても良い。ここで、「少なくとも第１水路６１および第２水路６２に分岐」するとは、ミスト用水路３が３つ以上の水路に分岐して構成されていても良いことをいう。第１水路６１には第１開閉弁６３が設けられて第１ミストノズル２Ａと連通し、第２水路６２には第２開閉弁６４が設けられて第２ミストノズル２Ｂと連通している。流量制御の具体例としては、制御部１１がミスト用水の噴出量を第１流量に設定する際、第１開閉弁６３および第２開閉弁６４を共に開弁して、全てのミストノズル２からミスト用水を噴出させる。一方、浴室ドアが開かれた際に制御部１１がミスト用水の噴出量を第１流量より少ない第２流量に設定する際、第２開閉弁６４を閉弁して、第１ミストノズル２Ａのみからミスト用水を噴出させる。
【００４７】
なお、第１ミストノズル２Ａは浴室Ｙの洗い場Ｙ１に向けてミスト用水を噴出させ、第２ミストノズル２Ｂは浴室Ｙの内壁Ｙ２に向けてミスト用水を噴出させる構成としているが、逆であっても良い。また、第１開閉弁６３および第２開閉弁６４を、単位時間当たりの流量を変更できるリニア弁として、第１水路６１および第２水路６２を流れるミスト用水を所期の流量に調節する構成としても良い。さらに、上述した実施形態における流量調節弁１０も併用して用いても良く、特に限定されない。
【００４８】
〔その他の実施形態〕
【００４９】
（１）ミストノズル２は、夫々方向の調節ができるように構成することも可能である。この場合には、噴出されたミスト用水が利用者に良く当たるミストノズル２に供給するミスト用水の流量を少なくし、噴出されたミスト用水が利用者に当たらないミストノズル２に供給するミスト用水の流量を多くしても良い。これにより、ミストサウナ入浴を楽しむ利用者の体感性を向上することができる。
【００５０】
（２）温度センサ５３や湿度センサ５４は、例えば浴室Ｙの内壁Ｙ２等に設けられていても良く、室内の温度や湿度を測定できる位置であれば特に限定されない。
【００５１】
（３）通常ミスト運転時の第１流量および浴室ドア開閉時の第２流量の少なくとも何れか一方は、多段階に流量設定が行われても良い。
【００５２】
（４）ミストノズル２は直線状に並べて配置しても良いし、非直線状に並べて配置しても良い。
【００５３】
（５）上述した実施形態では、ミスト装置１００を浴室Ｙで利用する場合の例を挙げて説明したが、例えばサウナ室やその他の空間で利用することも可能である。
【００５４】
なお、上述した実施形態（別実施形態を含む、以下同じ）で開示される構成は、矛盾が生じない限り、他の実施形態で開示される構成と組み合わせて適用することが可能である。また、本明細書において開示された実施形態は例示であって、本発明の実施形態はこれに限定されず、本発明の目的を逸脱しない範囲内で適宜改変することが可能である。
【産業上の利用可能性】
【００５５】
本発明は、給湯機能を有する熱源機で加熱されたミスト用水が、ミスト用水路を経由してミストノズルから室内に向けて噴出される給湯直結式ミスト装置に用いることが可能である。
【符号の説明】
【００５６】
１      熱源機
２      ミストノズル
３      ミスト用水路
１０    流量調整弁（流量調節器）
５３    温度センサ（温度測定部）
５４    湿度センサ（湿度測定部）
１１    制御部
１００  ミスト装置
【図１】
2017164382.tif 000003
【図２】
2017164382.tif 000004
【図３】
2017164382.tif 000005
【図４】
2017164382.tif 000006
【図５】
2017164382.tif 000007